(57)【要約】【課題】  通箱の底面の汚れ、異物の除去により適合した粘着清掃用マットであって、汚れや異物を粘着させて汚れたマットの表面を水拭きすることで簡単に清潔に洗浄することが可能で何度でも繰り返して利用できる性能を備えた粘着清掃用マットを提供すること。【解決手段】  表面を形成する粘着性樹脂層と、この内側に設けられるスポンジ状の多孔質体とを備えたものであって、前記多孔質体は、粘着性樹脂層よりも固いことを特徴とする粘着清掃用マットによって達成される。この粘着清掃用マットは、表面が平らな板材の上面に離型性を備えた材質からなる成型板を載置し、その上面に離型性を備えた材質からなる型枠を配置し、この型枠内に多孔質体の底面と前記成形板の上面との間を剥離可能に貼り付け配置した後、前記型枠の内側に前記多孔質体を覆うように液状の粘着性樹脂を注入し、前記粘着性樹脂を硬化させた後、前記型枠を取り外し、粘着清掃用マットを取り外すことによって製造できる。【選択図】図４
2017080356.tif 000002
【特許請求の範囲】
【請求項１】
表面を形成する粘着性樹脂層と、この内側に設けられるスポンジ状の多孔質体とを備えたものであって、前記多孔質体は、粘着性樹脂層よりも柔らかいことを特徴とする粘着清掃用マット。
【請求項２】
前記粘着性樹脂層は、ポリウレタン樹脂、塩化ビニル樹脂、シリコン樹脂、イソブチレン樹脂、天然ゴム系樹脂、ブチルゴム、スチレン樹脂、テルペン樹脂、水添テルペン樹脂、テルペンフェノール樹脂、水添テルペンフェノール樹脂、芳香族変性テルペン樹脂、芳香族変性水添テルペン樹脂及び乳化レジンからなる群から選択される少なくとも一種を含む請求項１に記載の粘着清掃用マット。
【請求項３】
前記粘着性樹脂層の厚さは、通箱の底面が密着する上面では２ｍｍ〜４ｍｍである一方、前記多孔質体の側方からはみ出した部分は２ｃｍ〜３ｃｍである請求項１または２に記載の粘着清掃用マット。
【請求項４】
前記多孔質体の厚さは、２０ｍｍ以上である請求項１〜３のいずれか一つに記載の粘着清掃用マット。
【請求項５】
請求項１〜４のいずれか一つに記載の粘着清掃用マットの製造方法であって、
表面が平らな板材の上面に離型性を備えた材質からなる成型板を載置し、その上面に離型性を備えた材質からなる型枠を配置し、この型枠内に多孔質体の底面と前記成形板の上面との間を剥離可能に貼り付け配置した後、前記型枠の内側に前記多孔質体を覆うように液状の粘着性樹脂を注入し、前記粘着性樹脂を硬化させた後、前記型枠を取り外し、粘着清掃用マットを取り外すことを特徴とする粘着清掃用マットの製造方法。
【発明の詳細な説明】
【技術分野】
【０００１】  本発明は、生産工場を行き交う「通箱（かよいばこ）」の底面の汚れや異物を粘着除去することにより、通箱内の製品への異物混入を防止するための粘着清掃用マットに関する。
【背景技術】
【０００２】  従来、粘着清掃用マットとして、ウレタン樹脂や塩化ビニール樹脂の粘着性を利用し、靴底や車輪の汚れを除去するものが存在していた（非特許文献１）。この粘着清掃用マットは厚さ３〜９ｍｍ程度と薄いため、底面がほぼ平らなものの清掃には適しているものの、底面に多くの凹凸が存在するものや、底面が大きく変形した通箱については充分な清掃が行えず、汚れや異物を完全に粘着清掃するのに適合しているとは言えなかった。【０００３】  通箱は、縦横が数十センチメートル程度の正方形または長方形の箱であり、ほとんどの場合にプラスチックで製造されている。生産工場に必要な部品を運搬する際に、通箱の内部に所定重量の部品を投入し、通箱周囲（特に裏面側）の清掃を行った上で、複数の通箱を重ねた状態で工場内に搬入される。ここで、通箱の底面には、補強用のリブが設けられており、細かな凹凸が設けられていることに加え、樹脂成型した際のヒケや反りで中央部が大きく凹んでいる。このため、通箱の底面に付着した微細なゴミを取り去ることは、非常に困難であり、通箱を重ねたときに上側の通箱の底面に残ったゴミが下方に落下してしまう。
通箱底面の隅々まで粘着清掃するために、軟らかいゴム硬度のウレタン樹脂を２０ｍｍ程度の厚さで試作した例があったが、軟らかいゴム硬度が災いして使用中に千切れたり亀裂が入ったり、千切れたゴムがゴミとして搬入されてしまい実用に対応するものではなかった。加えて、ウレタン樹脂は非常に高価なために、２０ｍｍ程度の厚さの粘着清掃用マットを実売できなかった。
【先行技術文献】
【非特許文献】
【０００４】
【非特許文献１】  ＜ｈｔｔｐ：／／ｗｗｗ．ｅｘｓｅａｌ．ｃｏ．ｊｐ／＞
【発明の概要】
【発明が解決しようとする課題】
【０００５】  本発明は、上記問題点に鑑みてなされたものであり、通箱の底面の汚れ、異物の除去により適合した粘着清掃用マットであって、汚れや異物を粘着させて汚れたマットの表面を水拭きすることで簡単に清潔に洗浄することが可能で何度でも繰り返して利用できる性能を備えたものを提供することを目的とする。
【課題を解決するための手段】
【０００６】  通箱の底面の汚れや異物を隅々まで除去できる粘着清掃用マットを効率よく安価に製造し販売提供することを特徴とする。本発明では、表皮だけを粘着性樹脂で製造し表皮の内側の厚さを増す部分は、スポンジ状の多孔質な物質で構成される。
こうして、本発明に係る粘着清掃用マットは、表面を形成する粘着性樹脂層と、この内部に設けられるスポンジ状の多孔質体とを備えたものであって、前記多孔質体は、粘着性樹脂層よりも柔らかいことを特徴とする。
従来の薄い粘着層のみを備えたマットでは、通箱の中央にある大きな凹み部分に対応できない。また、厚みを備えたマットを粘着性樹脂層のみで構成すると、製品が高価となりすぎる。そこで、高価な粘着性樹脂層は、外表面のみの使用に留め、内層としてスポンジ状の多孔質体を用いることとした。但し、粘着樹脂層が、通箱底面のリブの凹凸に加えて、底面全体にできる大きな凹みにも追随できるように、多孔質体は粘着性樹脂層よりも柔らかいことが重要である。【０００７】  上記構成によれば、通箱の裏面を粘着清掃用マットに載置すると、リブの凹凸及び中央の大きな凹みにも粘着し、小さなゴミを粘着除去できる。
上記発明において、粘着性樹脂層は、特別に柔らかい必要はなく、適度なゴム硬度を持った強度を備えたものであることが好ましい。粘着性樹脂層を構成する物質としては、特に限定されないが、ポリウレタン樹脂、塩化ビニル樹脂、シリコン樹脂、イソブチレン樹脂、天然ゴム系樹脂、ブチルゴム、スチレン樹脂、テルペン樹脂、水添テルペン樹脂、テルペンフェノール樹脂、水添テルペンフェノール樹脂、芳香族変性テルペン樹脂、芳香族変性水添テルペン樹脂及び乳化レジンからなる群から選択される少なくとも一種を含むことが好ましい。このうち、ポリウレタン樹脂は、安価であるため特に使いやすい。
また、前記多孔質体の大きさとしては、使用される通箱の裏面全体を一度で粘着処理できる程度のものであること、すなわち通箱の裏面の大きさよりも大きなものであることが好ましい。また、多孔質体は、通箱中央の凹みに対応して変形する必要があることから、相当の厚みが必要となる。例えば、２０ｍｍ程度以上のものであることが好ましい。【０００８】  一方、通箱の裏面に粘着する粘着性樹脂層の厚さとしては、適当に薄いものが好ましい。つまり、通箱の底面にまんべんなく粘着してゴミを取り去ると共印、通箱の底面が粘着清掃用マットの上面に載置されたときに、通箱のリブの凹凸及び中央ヒケの凹みに追随して変形する程度の厚さであることが好ましい。粘着性樹脂層を構成する材質にも依るが、２ｍｍ〜３ｍｍ程度の厚さであることが好ましい。余りに薄すぎると機械的に千切れてしまう可能性があるし、余りに厚いと変形しにくいためである。
また、多孔質体の側方において、はみ出した粘着性樹脂層の厚さ（幅長）としては、相当程度に厚いことが好ましい。すなわち、この部分は、通箱の底面を粘着掃除するときに、作業台の上面に密着する部分となる。通箱を粘着清掃用マットの上面に粘着させた後には、これを上方に取り外す作業を行わなければならない。このとき、粘着清掃用マットが通箱の底面から外れて、作業台の上面に残った状態とならなければならない。この状態を実現するためには、粘着清掃用マットと作業台との間の粘着力を相当程度まで増加させておくことが好ましい。そのような厚さ（幅長）として、２ｃｍ〜３ｃｍ程度を設けておくことが好ましい。【０００９】  また、粘着性樹脂層の粘着力は、通箱を一度粘着させた後、粘着清掃用マットからはがす際に軽い力ではがすことが出来るように適切な粘着力に設計されたことが好ましい。
また、粘着清掃用マット表面に粘着した汚れを水拭き清掃する際に汚れが落ちやすい粘着力とゴム硬度を有することが好ましい。
また、第二の発明に係る粘着清掃用マットの製造方法は、表面が平らな板材の上面に離型性を備えた材質からなる成型板を載置し、その上面に離型性を備えた材質からなる型枠を配置し、この型枠内に多孔質体の底面と前記成形板の上面との間を剥離可能に貼り付け配置した後、前記型枠の内側に前記多孔質体を覆うように液状の粘着性樹脂を注入し、前記粘着性樹脂を硬化させた後、前記型枠を取り外し、粘着清掃用マットを取り外すことを特徴とする。
このようにすれば、第一の発明に係る粘着清掃用マットを容易に製造できる。
【発明の効果】
【００１０】  本発明によれば、通箱の底面の隅々まで汚れや異物を除去できる粘着清掃用マットを提供できる。この粘着清掃用マットは、使用した後に水拭きで容易に元の表面の性状に戻すことが可能であり、複数回に渡って再利用できる。また酷使に耐える硬度と引っ張り強度を有する。そのような性能を有した粘着清掃マットが安価に製造提供することが出来る。
【図面の簡単な説明】
【００１１】
【図１】  本実施形態の粘着清掃用マットの裏面側を示す斜視図である。
【図２】  粘着清掃用マットの側断面図である。
【図３】  成型型を組み合わせる前の状態を示す斜視図である。
【図４】  シリコン製成型板の上に型枠を配置し樹脂を注入する様子を示す斜視図である。
【図５】  図４の垂直断面図である。
【図６】  樹脂を注入した後、ホコリよけ板をかぶせるときの斜視図である。
【図７】  粘着性樹脂が硬化した後の型枠を取り外すときの斜視図である。
【図８】  通箱の底面を示す斜視図である。
【図９】  通箱底部の反りを示す垂直断面図である。
【図１０】  通箱の底面に粘着清掃用マットを装着したときの垂直断面図である。
【図１１】  水拭きだけで汚れが落ちる様子を示す斜視図である。
【発明を実施するための形態】
【００１２】  次に、本発明の実施形態について、図面を参照しつつ詳細に説明する。
図１には、粘着清掃用マット９０の裏面側を示した。粘着清掃用マット９０は、全体として高さの薄い直方体状に形成されており、２層構造とされている。このうち、裏面を除く５面の表面は、粘着性樹脂層とされ、その内側は、スポンジ状の多孔質体４０とされている。多孔質体４０は、通箱の底面よりも大きく形成されている。また、多孔質体４０の高さは、約２ｃｍとされている。多孔質体４０は、スポンジ状の物質から構成されており、その固さは粘着性樹脂層よりも柔らかく設定されている。
一方、粘着性樹脂層は、多孔質体４０の底面を除く５面の周囲を覆っている。その表面（通箱１００の裏面が密着する面）は、約２ｍｍ〜３ｍｍ程度の厚さに薄く形成されている一方、側方に突出する四面の部分は、約２ｃｍ〜３ｃｍの幅長とされている。粘着樹脂層の表面（特に、通箱の底面に接触する上面側）は、気泡跡・ひび割れなどが無く、滑らかに形成されている。
粘着清掃用マット９０を上面から押圧すると、粘着樹脂層が適当な弾性を備えて下方に押圧される。このとき、多孔質体４０は、粘着樹脂層よりも柔らかいので、粘着清掃用マット９０全体が、通箱１００の裏面の凹凸に合わせて変形することになる。
【００１３】  次に、図３〜図１１を参照しつつ、粘着清掃用マット９０の製造方法と通箱１００の底面の汚れ、異物を粘着させる様子について説明する。
図３には、アルミなど金属製の平らな板１０の上に敷いたシリコン製の成型板２０の上にシリコン製の型枠３０を４辺に配置し、その中央にスポンジ状の多孔質体４０を配置し組み合わせる前の成型設備の様子を示した。
図４に示すように、中央にスポンジ状の多孔質体４０を配置する。その際、スポンジ底面とシリコン製の成型板２０が接する面は、両面テープで貼り付けるなどして当該面に樹脂が浸入することを防止する。
その周囲４辺を組み合わせ配置した型枠３０の内側に硬化するよう各材料を混合攪拌し、脱泡した粘着性樹脂材料６０をビーカー５０から静かに注入する。
【００１４】  図５には、図４における垂直方向の断面図を示した。ビーカー５０から注入された粘着性樹脂材料６０は、シリコン製の型枠３０の上面位置７０まで注入される。粘着性樹脂材料６０は、ポリウレタン樹脂を主成分とするものである。
その後、図６に示すように、ホコリよけ板８０を覆いかぶせ、樹脂を注入した後で硬化反応が終了するまで製品表面にチリやホコリが落下付着しないように保護しておく。
図７には、粘着性樹脂が硬化した後に、シリコン製型枠３０を取り外し、成型が完了した粘着清掃用マット９０を矢印方向に剥がして取り外す様子を示した。
こうして、本実施形態の粘着清掃用マット９０の製造が完了する。
【００１５】  図８には、通箱１００の底面に設けられた補強用リブ１１０の様子を示した。通箱１００は、プラスチックで一体に成型されており、上面側に開放する箱形に形成されている。通箱１００の裏面には、変形を防ぐために補強用リブ１１０が設けられているものの、相当程度に大きいために、端部から中央付近に向かって上方（内側）に凹む反り１２０が発生する。図９には、この反り１２０を示した。
図１０には、粘着清掃用マット９０の上面に、通箱１００の裏面を密着させた様子を示した。このとき、粘着清掃用マット９０は、スポンジ状の多孔質体４０を内蔵しているので、通箱１００底面の補強用リブ１１０及び反り１２０の形状に合わせて、大きく変形しながら適切な反発力を備えて、通箱１００の底面の隅々に対して密着する。このとき、粘着清掃用マット９０の裏面側（下面）は、図示しない作業台の表面に粘着している。
この後、通箱１００を上方に引っ張り上げることにより、粘着清掃用マット９０との密着状態を解消することで、通箱１００の裏面に付着した小さなゴミなどを粘着清掃用マット９０の粘着性樹脂層に移動させる。また、通箱１００の引っ張り上げ操作の際には、粘着清掃用マット９０を持ち上げようとする力が加わるが、粘着清掃用マット９０の裏面の四辺に大きく設定された粘着性樹脂層が作業台の上面に密着するので、先に通箱１００が外れることとなる。
【００１６】  なお、図１１に示すように、表面に汚れや異物１３０が付着した粘着清掃用マット９０の表面を水に濡らした布（１１０）でふき取り清掃することで、表面の汚れ異物を容易に除去できる。また、付着した汚れ１３０が落ちにくい場合は、水にエタノールを混合したものやアセトンを用いるとより強力に表面に付着した汚れを落とすことが出来る。どの液体を用いた場合でも液体が蒸発ないし揮発した後には、粘着清掃用マット９０の表面は初期の粘着力を回復する。このように、清掃を繰り返すことで、良好に再使用を行える。
このように、本実施形態によれば、通箱１００の底面の隅々まで汚れや異物を除去できる粘着清掃用マット９０を提供できた。この粘着清掃用マット９０は、使用した後に水拭きで容易に元の表面の性状に戻すことが可能であり、複数回に渡って再利用できる。また酷使に耐える硬度と引っ張り強度を有する。そのような性能を有した粘着清掃マットが安価に製造提供することが出来た。
【符号の説明】
【００１７】１０…アルミなど金属製の平らな板
２０…シリコン樹脂製の成型板
３０…シリコン樹脂製の型枠
４０…スポンジ状の多孔質体
５０…ビーカー
６０…粘着性樹脂材料
７０…シリコン樹脂製の型枠３０の上面の線
８０…ホコリよけ板
９０…粘着清掃用マット
１００…通箱
１１０…底面補強のリブ
１２０…反り
１３０…マット表面に付着した汚れ
１４０…水に濡らした布
【図１】
2017080356.tif 000003
【図２】
2017080356.tif 000004
【図３】
2017080356.tif 000005
【図４】
2017080356.tif 000006
【図５】
2017080356.tif 000007
【図６】
2017080356.tif 000008
【図７】
2017080356.tif 000009
【図８】
2017080356.tif 000010
【図９】
2017080356.tif 000011
【図１０】
2017080356.tif 000012
【図１１】
2017080356.tif 000013